(57)【要約】【課題】アルバムの任意のページを開いて立て掛けることができるアルバムケースを提供することを目的とする。【解決手段】アルバムを内部に収納可能な空間を有する平面視矩形の枠体と、この枠体の下部開口部・上部開口部を覆うように配置されたカバー部を備えるアルバムケースにおいて、カバー部は、枠体の下部開口部を閉鎖するように配置された下部カバー部と、枠体の側面に沿うように配置された側部カバー部と、枠体の上部開口部を閉鎖するように配置された上部カバー部とから構成され、下部カバー部・側部カバー部・上部カバー部は、それぞれ折り目を介して連設しており、下部カバー部は、枠体の下部開口部に固定された固定カバー部と、固定カバー部に折り目を介して連設している可動カバー部とから成り、固定カバー部に連設している可動カバー部と側部カバー部と上部カバー部は、枠体から離れるように構成されている【選択図】図６
2017042950.tif 000002
【特許請求の範囲】
【請求項１】
アルバムを内部に収納可能な空間を有する平面視矩形の枠体と、この枠体の下部開口部・上部開口部を覆うように配置されたカバー部を備えるアルバムケースにおいて、
カバー部は、枠体の下部開口部を閉鎖するように配置された下部カバー部と、枠体の側面に沿うように配置された側部カバー部と、枠体の上部開口部を閉鎖するように配置された上部カバー部とから構成され、下部カバー部・側部カバー部・上部カバー部は、それぞれ折り目を介して連設しており、
下部カバー部は、枠体の下部開口部に固定された固定カバー部と、固定カバー部に折り目を介して連設している可動カバー部とから成り、
固定カバー部に連設している可動カバー部と側部カバー部と上部カバー部は、枠体から離れるように構成されている事を特徴とするアルバムケース。
【請求項２】
カバー部により枠体の下部開口部・上部開口部を閉鎖している状態から、側部カバー部と上部カバー部を連接している折り目と、可動カバー部と側部カバー部を連接している折り目を伸ばすように展開して、側部カバー部と上部カバー部を水平面に配置し、
この展開している上部カバー部側に枠体を移動させて、
固定カバー部と可動カバー部を連設している折り目を山折りにすると共に、可動カバー部と側部カバー部を連設している折り目を谷折りにし、
枠体の端部を上部カバー部の裏面に当接させた状態で、アルバム立てとして使用可能なことを特徴とする請求項１に記載のアルバムケース。
【請求項３】
下部カバー部は、側面視において、可動カバー部が固定カバー部より長く形成されている事を特徴とする請求項１または請求項２に記載のアルバムケース。
【請求項４】
枠体の端部が、上部カバー部の裏面に当接した際に、固定カバー部と可動カバー部を連設している折り目の成す角が、略９０度である事を特徴とする請求項２または請求項３に記載のアルバムケース。
【請求項５】
上部カバー部の裏面には、帯状の凸部が設けられ、枠体の端部がこの帯状の凸部に当接可能である事を特徴とする請求項１乃至請求項４のいずれかに記載のアルバムケース。
【発明の詳細な説明】
【技術分野】
【０００１】
本発明は、アルバムの任意のページを開いて立て掛けることができる、アルバムケースに関するものである。
【背景技術】
【０００２】
従来のアルバムケースは、貴重なアルバムを納品するときに高級感のある綺麗な化粧箱等のケースとして使用され、このアルバムケースにアルバムを入れて納品することが行われていた。
【０００３】
また、贈呈品又は商品の送り主へメッセージを確実に送り、メッセージの内容を贈呈品又は商品が送られた本人のみ見ることができる化粧箱が提案されていた（特許文献１）。
【０００４】
この特許文献１は、箱部と、箱部にかぶせられる蓋部とを有する化粧箱において、蓋部は、写真、挿絵、文字等のメッセージを表示する裏当部と、裏当部を露出可能に覆う扉部とを有し、扉部は、ヒンジ部を介して回転して開閉する化粧箱を開示している。
【０００５】
また、写真立てと、アルバムとの機能との機能を併有させて写真のセットを容易にし、且つ、写真の閲覧若しくは検索も容易に行なえるようにするケースが提案されていた（特許文献２）。
【０００６】
この特許文献２は、前面側に開放部を備えた外箱と、この外箱の前記開放部より出し入れ可能に設けられた上部開放型の内箱と、この内箱内に収容可能な複数の写真用フォルダとを備え、前記内箱の前壁に窓部を設けるとともに、前記前壁の内方側に仕切部材を設けて当該仕切部材と前壁との間に第１の空間を設ける一方、仕切部材と内箱の後壁との間に第２の空間を設け、前記第１の空間に写真を収容して前記窓部より表出可能に設けるとともに、前記第２の空間にフォルダを収容して各フォルダ毎に写真を収容可能に設けたことを特徴とする写真ケースを開示している。
【先行技術文献】
【特許文献】
【０００７】
【特許文献１】実開平７−２１５２２号公報
【特許文献２】特開１１−３４８４８２号公報
【発明の概要】
【発明が解決しようとする課題】
【０００８】
しかし、高級感のある綺麗な化粧箱等のアルバムケースや特許文献１に記載の化粧箱は、アルバムや写真が手元に届いた際に、受け取り主に感動を与えるといった利点があるが、その後は、アルバムケースや化粧箱は捨てられてしまうか、保管時に本棚等に写真がよく見えない状態で放置されてしまうといった問題があった。
【０００９】
また、特許文献２に記載の写真ケースは、上部開放型の内箱に各フォルダ毎に写真を収容可能に設けて、フォルダごとに前後に移動して写真を飾ることができるが、アルバムの任意のページを開いて立て掛けるということができないという問題があった。
【００１０】
そこで、本発明は、アルバムの任意のページを開いて立て掛けることができる、アルバムケースを提供することを目的とする。
【課題を解決するための手段】
【００１１】
上記課題を解決するために、請求項１に記載のアルバムケースに係る発明は、例えば、図１〜図７に示すように、
アルバムを内部に収納可能な空間を有する平面視矩形の枠体と、この枠体の下部開口部・上部開口部を覆うように配置されたカバー部を備えるアルバムケースにおいて、
カバー部は、枠体の下部開口部を閉鎖するように配置された下部カバー部と、枠体の側面に沿うように配置された側部カバー部と、枠体の上部開口部を閉鎖するように配置された上部カバー部とから構成され、下部カバー部・側部カバー部・上部カバー部は、それぞれ折り目を介して連設しており、
下部カバー部は、枠体の下部開口部に固定された固定カバー部と、固定カバー部に折り目を介して連設している可動カバー部とから成り、
固定カバー部に連設している可動カバー部と側部カバー部と上部カバー部は、枠体から離れるように構成されている事を特徴とする。
【００１２】
請求項１に記載のアルバムケースに係る発明によれば、図１〜図５に示すように、アルバムを内部に収納可能な空間を有する平面視矩形の枠体と、この枠体の下部開口部・上部開口部を覆うように配置されたカバー部を備えるアルバムケースにおいて、カバー部は、枠体の下部開口部を閉鎖するように配置された下部カバー部と、枠体の側面に沿うように配置された側部カバー部と、枠体の上部開口部を閉鎖するように配置された上部カバー部とから構成され、下部カバー部・側部カバー部・上部カバー部は、それぞれ折り目を介して連設しており、
下部カバー部は、枠体の下部開口部に固定された固定カバー部と、固定カバー部に折り目を介して連設している可動カバー部とから成り、
固定カバー部に連設している可動カバー部と側部カバー部と上部カバー部は、枠体から離れるように構成されているので、可動カバー部と側部カバー部と上部カバー部を枠体から離してアルバムケースをアルバム立てに変形することで、上部カバー部で覆われていた枠体の開口が露出し、この空間にアルバムの任意のページを開いてアルバムの背表紙側を挿入することにより立て掛けることができる。
【００１３】
請求項２に記載のアルバムケースに係る発明は、例えば、図１〜図５に示すように、カバー部により枠体の下部開口部・上部開口部を閉鎖している状態から、側部カバー部と上部カバー部を連接している折り目と、可動カバー部と側部カバー部を連接している折り目を伸ばすように展開して、側部カバー部と上部カバー部を水平面に配置し、
この展開している上部カバー部側に枠体を移動させて、
固定カバー部と可動カバー部を連設している折り目を山折りにすると共に、可動カバー部と側部カバー部を連設している折り目を谷折りにし、
枠体の端部を上部カバー部の裏面に当接させた状態で、アルバム立てとして使用可能なことを特徴とする。
【００１４】
請求項２に記載のアルバムケースに係る発明によれば、カバー部により枠体の下部開口部・上部開口部を閉鎖している状態から、側部カバー部と上部カバー部を連接している折り目と、可動カバー部と側部カバー部を連接している折り目を伸ばすように展開して、側部カバー部と上部カバー部を水平面に配置し、この展開している上部カバー部側に枠体を移動させて、固定カバー部と可動カバー部を連設している折り目を山折りにすると共に、可動カバー部と側部カバー部を連設している折り目を谷折りにし、枠体の端部を上部カバー部の裏面に当接させた状態で、アルバム立てとして使用可能なので、折り目を谷折りまたは谷折りにするだけで、容易にアルバムケースをアルバム立てに変形することができる。
【００１５】
請求項３に記載のアルバムケースに係る発明は、例えば、図６に示すように、下部カバー部は、側面視において、可動カバー部が固定カバー部より長く形成されている。
【００１６】
請求項３に記載のアルバムケースに係る発明によれば、下部カバー部は、側面視において、可動カバー部が固定カバー部より長く形成されているので、枠体の空間にアルバムの背表紙を挿入して立て掛けた際に、アルバムの背表紙を後方から支える位置が高くなり、アルバムが後方に倒れることがなくしっかりと支えることができ、使用者等がアルバムを見やすい角度とすることができる。
【００１７】
請求項４に記載のアルバムケースに係る発明は、例えば、図６に示すように、枠体の端部が、上部カバー部の裏面に当接した際に、固定カバー部と可動カバー部を連設している折り目の成す角が、略９０度である。
【００１８】
請求項４に記載のアルバムケースに係る発明によれば、枠体の端部が、上部カバー部の裏面に当接した際に、固定カバー部と可動カバー部を連設している折り目の成す角が、略９０度であるので、枠体の空間にアルバムの背表紙を挿入して立て掛けた際に、重心位置を低くし安定させることができる。
【００１９】
請求項５に記載のアルバムケースに係る発明は、例えば、図１、図２に示すように、上部カバー部の裏面には、帯状の凸部が設けられ、枠体の端部がこの帯状の凸部に当接可能である事を特徴とする。
【００２０】
請求項５に記載のアルバムケースに係る発明によれば、上部カバー部の裏面には、帯状の凸部が設けられ、枠体の端部がこの帯状の凸部に当接可能であるので、アルバムを枠体に挿入した際の荷重が凸部当接部分に分散されることにより、アルバムの荷重を分散して安定したアルバム立てとして機能することができる。
【発明の効果】
【００２１】
本発明によれば、アルバムの任意のページを開いて立て掛けることができるアルバムケースを提供することができる。
【図面の簡単な説明】
【００２２】
【図１】本発明に係るアルバムケースの一例を示す斜視図である。
【図２】本発明に係るアルバムケースの上部カバー部を開いた状態の一例を示す斜視図である。
【図３】本発明に係るアルバムケースからアルバムケースを取り出した一例を示す斜視図である。
【図４】本発明に係るアルバムケースの上部カバー部を水平面上に開いた状態の一例を示す斜視図である。
【図５】本発明に係るアルバムケースの可動カバー部と枠体の端部との折り目を山折りにしている状態の一例を示す斜視図である。
【図６】本発明に係るアルバムケースの枠体の端部を上部カバー部の裏面に当接している状態の一例を示す斜視図である。
【図７】本発明に係るアルバムケースをアルバム立てに変形した状態でアルバムを開いて立てている状態の一例を示す斜視図である。
【発明を実施するための形態】
【００２３】
以下、図面を参照して、本発明の一実施の形態について説明する。
【００２４】
＜実施の形態＞
図１〜図７は、本発明に係るアルバムケースの一実施の形態を示している。
【００２５】
本発明に係るアルバムケース１は、図１・図２に示すように、アルバム３を内部に収納可能な空間５を有する平面視矩形の枠体７と、この枠体７を側面視コ字状に覆っているカバー部９を備えている。
【００２６】
平面視矩形の枠体７は、図２・図３に示すように、長方形の複数の部材からなり、それぞれの長手方向の端部が他の部材とつながっており、対向する部材の長さが同じである。アルバム３を収納するために、側面視において、所定の高さがあり、枠体７内部にアルバム３が収納可能な空間５が形成されている、
【００２７】
カバー部９は、枠体下方の下部開口部と、枠体上方の上部開口部とを覆うように配置されている。
【００２８】
カバー部９は、図４示すように、枠体の下部開口部を閉鎖するように配置された下部カバー部１３と、枠体の側面に沿うように配置された側部カバー部１５と、枠体の上部開口部を閉鎖するように配置された上部カバー部１１とから構成され、下部カバー部１３・側部カバー部１５・上部カバー部１１は、それぞれ折り目１０ａ，１０ｂ，１０ｃを介して連設されている。
【００２９】
下部カバー部１３は、枠体７の下部開口部に固定された固定カバー部１３ａと、固定カバー部１３ａに折り目を介して連設している可動カバー部１３ｂとから成る。下部カバー部１３は、側面視において、可動カバー部１３ｂが、固定カバー部１３ａより長く形成されている。
【００３０】
また、固定カバー部１３ａに連設している可動カバー部１３ｂと側部カバー部１５と上部カバー部１１は、図７に示すように、、枠体７から離れるように構成されている。側部カバー部１５の高さは、枠体７の所定の高さに応じて設定される。
【００３１】
可動カバー部１３ａ・側部カバー部１５・上部カバー部１１は、互いに折り目を介して連接されているが、枠体７には固定されていないため、カバー部９により枠体の下部開口部・上部開口部を閉鎖している状態から、側部カバー部１５と上部カバー部１１を連接している折り目１０ｃと、可動カバー部と側部カバー部を連接している折り目１０ｂを伸ばすように展開して（図４参照）、側部カバー部と上部カバー部を水平面に配置し、この展開している上部カバー部１１側に、枠体７を若干持ち上げるようにして移動させて（図５参照）、固定カバー部１３ａと可動カバー部１３ｂを連設している折り目１０ａを山折りにすると共に、可動カバー部と側部カバー部を連設している折り目１０ｂを谷折りにし、枠体７の端部２１を上部カバー部１１の裏面に当接させた状態で、アルバム立てとして使用可能となる（図６参照）。
【００３２】
上部カバー部の表面を水平面に接触するよう位置して、固定カバー部１３ａと可動カバー部１３ｂとを山折りにした際に、側部カバー部１５側の枠体７の端部２１の角部２３が上部カバー部１１の裏面に当接可能である。また、枠体７の端部２１が上部カバー部１１の裏面に当接した際に、固定カバー部１３ａと可動カバー部１３ｂを連設している折り目の成す角が、略９０度である。
【００３３】
図４に示すように、上部カバー部１１の裏面には、帯状の凸部１７が設けられ、枠体７の端部２１がこの帯状の凸部１７に当接可能である。具体的には、図５・図６に示すように、固定カバー部１３ａと可動カバー部１３ｂを山折りした際に、側部カバー部１５側の枠体７の端部２１が上部カバー部１１と帯状の凸部１７と当接可能であり、角部２３が上部カバー部１１の裏面に線状に当接可能である。
【００３４】
図６では、枠体７の下方の長方形の端部２１が凸部１７に当接し、枠体７の下方の長方形の角部２３が上部カバー部１１の裏面に当接している。
【００３５】
枠体７と可動カバー部１３ｂの成す角は、凸部１７を配置する位置で変動するが９０度から１２０度程度に設定可能とし、置き場所や使用者の好みに応じてアルバム３を立てた際に、写真が見やすい角度に設定可能としてもよい。
【００３６】
尚、帯状の凸部は、上部カバー部１１の裏面に複数設けられ、帯状の凸部１７，１７ａの両端は枠体７の内側に嵌合して挿入可能である構成としてもよい。図２〜図６に示す幅の狭い帯状の凸部１７には、側部カバー部１５側の枠体７が線状に当接して、アルバムケース１をアルバム立てに変形した際に、枠体７の位置決めをして枠体７のずれを防止するための部材である一方、上部カバー部１１で枠体７の開口を閉じる場合は、枠体７の内側に嵌合して挿入され、上部カバー部１１がずれたり、安易に開いたりすることを防止するようにしてもよい。
【００３７】
また、図２〜図６に示す幅の広い帯状の凸部１７ａは、上部カバー部１１で枠体７の開口を閉じる場合、枠体７の内側に嵌合して挿入され、上部カバー部１１がずれたり、安易に開いたりすることを防止するようにしてもよい。この場合、幅の広い帯状の凸部１７ａは、枠体７の内側と接触する部分が多くなっているため、上部カバー部１１がずれたり、安易に開いたりするのを防止する効果が大きくなる。
【００３８】
図５に示す、固定カバー部１３ａと枠体７との間に端部が固定された紐２５は、アルバム３をアルバムケース１から取り出す際に、取り出しやすいように取り付けられている。この紐２５は、図２に示すように、アルバム３をアルバムケース１に入れた際に、アルバム３の下側を通して、アルバム３の上面に紐２５を配置しておく。そして、アルバム３をアルバムケース１から取り出す際に、紐２５を上方に引っ張ることにより、アルバム３をアルバムケース１から取り出し易くなる。
【００３９】
図７に示すように、アルバム３を取り出して、アルバムケース１をアルバム立てに変形した後、アルバム３の背表紙を枠体７内部に挿入することにより、アルバム３の任意のページを開いて立て掛けることができる。また、アルバム３をアルバム立てに立て掛けた状態で、アルバム３をめくることができる。
【００４０】
（変形例）
上記実施の形態では、幅の狭い帯状の凸部が一つの例について説明したが、れに限られない。幅の狭い帯状の凸部を短手方向に複数平行に設けて、アルバムケースをアルバム立てに変形する際の枠体の角度を変えるように構成してもよい。
【符号の説明】
【００４１】
１  アルバムケース
３  アルバム
５  空間
７  枠体
９  カバー部
１０ａ，１０ｂ，１０ｃ  折り目
１１  上部カバー部
１３  下部カバー部
１３ａ  固定カバー部
１３ｂ  可動カバー部
１５  側部カバー部
１７，１７ａ  凸部
１９  上部カバー部の表面
２１  端部
２３  角部
【図１】
2017042950.tif 000003
【図２】
2017042950.tif 000004
【図３】
2017042950.tif 000005
【図４】
2017042950.tif 000006
【図５】
2017042950.tif 000007
【図６】
2017042950.tif 000008
【図７】
2017042950.tif 000009